(57)【要約】【課題】操作性を向上する装置、方法及びプログラムを提供すること。【解決手段】スマートフォン１は、タッチスクリーンディスプレイ２と、コントローラ１０とを備える。コントローラ１０は、タッチスクリーンディスプレイ２に対するジェスチャが検出されるとタッチスクリーンディスプレイ２に所定形状のガイドを表示し、ガイドに対するスワイプが検出されるとタッチスクリーンディスプレイ２に表示された画像を拡大又は縮小させる。【選択図】図１
2013092974.tif 000002
【特許請求の範囲】
【請求項１】
タッチスクリーンディスプレイと、
前記タッチスクリーンディスプレイに対するジェスチャが検出されると前記タッチスクリーンディスプレイにガイドを表示し、前記ガイドに対するスワイプが検出されると前記タッチスクリーンディスプレイに表示された画像を拡大又は縮小させるコントローラと、を備える装置。
【請求項２】
前記コントローラは、前記スワイプを検出した場合に、前記タッチスクリーンディスプレイにおいて接触が検出される位置と前記ガイドの中心位置との距離に対応させて、前記画像を拡大又は縮小させる、
請求項１に記載の装置。
【請求項３】
前記コントローラは、前記ガイドの中心位置を基点とし、前記基点を中心として前記画像を拡大又は縮小させる、
請求項１又は２に記載の装置。
【請求項４】
前記コントローラは、前記画像に文字が含まれ、かつ、前記画像を表示させているアプリケーションが所定のアプリケーションである場合、文字ポイントの変更を行うことにより、前記画像を拡大又は縮小させる、
請求項１から３のいずれか１項に記載の装置。
【請求項５】
前記コントローラは、前記タッチスクリーンディスプレイに対するジェスチャを検出すると、接触位置に対して所定の方向にガイドを表示させる、
請求項１から４のいずれか１項に記載の装置。
【請求項６】
前記コントローラは、前記ガイドを拡大又は縮小させる場合に、前記ガイドの拡大率に応じて前記ガイドの色を変化させる、
請求項１から５のいずれか１項に記載の装置。
【請求項７】
タッチスクリーンディスプレイを備えた装置において、前記装置が前記タッチスクリーンディスプレイに表示された画像を拡大又は縮小させる方法であって、
前記装置に設けられたコントローラが、前記タッチスクリーンディスプレイに接触するジェスチャを検出する検出ステップと、
前記コントローラが、前記検出ステップにおいて接触するジェスチャを検出すると前記タッチスクリーンディスプレイにガイドを表示する表示ステップと、
前記コントローラが、前記ガイドに対するスワイプを検出すると前記タッチスクリーンディスプレイに表示された画像を拡大又は縮小させる拡大縮小ステップと、
を含む方法。
【請求項８】
タッチスクリーンディスプレイを備えた装置において、前記装置に前記タッチスクリーンディスプレイに表示された画像を拡大又は縮小させるプログラムであって、
前記タッチスクリーンディスプレイに接触するジェスチャを検出する検出ステップと、
前記検出ステップにおいて接触するジェスチャを検出すると前記タッチスクリーンディスプレイにガイドを表示する表示ステップと、
前記ガイドに対するスワイプを検出すると前記タッチスクリーンディスプレイに表示された画像を拡大又は縮小させる拡大縮小ステップと、
を前記装置に実行させるプログラム。
【発明の詳細な説明】
【技術分野】
【０００１】
本発明は、装置、方法及びプログラムに関する。特に、本発明は、タッチスクリーンディスプレイを有する装置、その装置を制御する方法及びその装置を制御するためのプログラムに関する。
【背景技術】
【０００２】
タッチスクリーンディスプレイを備える装置が知られている。タッチスクリーンディスプレイを備える装置には、例えば、スマートフォン及びタブレットが含まれる。タッチスクリーンディスプレイを備える装置は、タッチスクリーンディスプレイを介して指又はスタイラスペンのジェスチャを検出する。そして、タッチスクリーンディスプレイを備える装置は、検出したジェスチャに従って動作する。検出したジェスチャに従った動作の例は、例えば、特許文献１に記載されている。
【０００３】
タッチスクリーンディスプレイを備える装置の基本的な動作は、装置に搭載されるＡｎｄｒｏｉｄ（登録商標）、ＢｌａｃｋＢｅｒｒｙ（登録商標）  ＯＳ、Ｓｙｍｂｉａｎ（登録商標）  ＯＳ、ｉＯＳ、Ｗｉｎｄｏｗｓ（登録商標）  Ｐｈｏｎｅ等のＯＳ（Ｏｐｅｒａｔｉｎｇ  Ｓｙｓｔｅｍ）によって実現される。
【先行技術文献】
【特許文献】
【０００４】
【特許文献１】国際公開第２００８／０８６３０２号
【発明の概要】
【発明が解決しようとする課題】
【０００５】
ところで、上記の装置は、複数の指がタッチスクリーンディスプレイに接触しながら相対的に近付く方向に移動するジェスチャであるピンチインが行われると、タッチスクリーンディスプレイに表示された画像を縮小する。また、上記の装置は、複数の指がタッチスクリーンディスプレイに接触しながら相対的に遠ざかる方向に移動するジェスチャであるピンチアウトが行われると、タッチスクリーンディスプレイに表示された画像を拡大する。
しかし、ピンチイン及びピンチアウトは、利用者が複数の指で行うジェスチャであるため、より簡易的な操作によって操作性を向上することが求められていた。
【０００６】
本発明は、操作性を向上する装置、方法及びプログラムを提供することを目的とする。
【課題を解決するための手段】
【０００７】
本発明に係る装置は、タッチスクリーンディスプレイと、前記タッチスクリーンディスプレイに対するジェスチャが検出されると前記タッチスクリーンディスプレイにガイドを表示し、前記ガイドに対するスワイプが検出されると前記タッチスクリーンディスプレイに表示された画像を拡大又は縮小させるコントローラと、を備える構成である。
【０００８】
また、本発明に係る装置では、前記コントローラは、前記スワイプを検出した場合に、前記タッチスクリーンディスプレイにおいて接触が検出される位置と前記ガイドの中心位置との距離に対応させて、前記画像を拡大又は縮小させる構成でもよい。
【０００９】
また、本発明に係る装置では、前記コントローラは、前記ガイドの中心位置を基点とし、前記基点を中心として前記画像を拡大又は縮小させる構成でもよい。
【００１０】
また、本発明に係る装置では、前記コントローラは、前記画像に文字が含まれ、かつ、前記画像を表示させているアプリケーションが所定のアプリケーションである場合、文字ポイントの変更を行うことにより、前記画像を拡大又は縮小させる構成でもよい。
【００１１】
また、本発明に係る装置では、前記コントローラは、前記タッチスクリーンディスプレイに対するジェスチャを検出すると、接触位置に対して所定の方向にガイドを表示させる構成でもよい。
【００１２】
また、本発明に係る装置では、前記コントローラは、前記ガイドを拡大又は縮小させる場合に、前記ガイドの拡大率に応じて前記ガイドの色を変化させる構成でもよい。
【００１３】
また、本発明に係る方法は、タッチスクリーンディスプレイを備えた装置において、前記装置が前記タッチスクリーンディスプレイに表示された画像を拡大又は縮小させる方法であって、前記装置に設けられたコントローラが、前記タッチスクリーンディスプレイに接触するジェスチャを検出する検出ステップと、前記コントローラが、前記検出ステップにおいて接触するジェスチャを検出すると前記タッチスクリーンディスプレイにガイドを表示する表示ステップと、前記コントローラが、前記ガイドに対するスワイプを検出すると前記タッチスクリーンディスプレイに表示された画像を拡大又は縮小させる拡大縮小ステップと、を含む。
【００１４】
また、本発明に係るプログラムは、タッチスクリーンディスプレイを備えた装置において、前記装置に前記タッチスクリーンディスプレイに表示された画像を拡大又は縮小させるプログラムであって、前記タッチスクリーンディスプレイに接触するジェスチャを検出する検出ステップと、前記検出ステップにおいて接触するジェスチャを検出すると前記タッチスクリーンディスプレイにガイドを表示する表示ステップと、前記ガイドに対するスワイプを検出すると前記タッチスクリーンディスプレイに表示された画像を拡大又は縮小させる拡大縮小ステップと、を前記装置に実行させる。
【発明の効果】
【００１５】
本発明によれば、操作性を向上することができる。
【図面の簡単な説明】
【００１６】
【図１】図１は、実施形態に係るスマートフォンの外観を示す斜視図である。
【図２】図２は、実施形態に係るスマートフォンの外観を示す正面図である。
【図３】図３は、実施形態に係るスマートフォンの外観を示す背面図である。
【図４】図４は、ホーム画面の一例を示す図である。
【図５】図５は、実施形態に係るスマートフォンの機能を示すブロック図である。
【図６】図６は、実施形態に係るタッチスクリーンディスプレイに表示された画像の拡大又は縮小を説明する図である。
【図７】図７は、実施形態に係るタッチスクリーンディスプレイに表示された画像の拡大又は縮小を行う処理の流れを示すフローチャートである。
【発明を実施するための形態】
【００１７】
本発明を実施するための実施形態を、図面を参照しつつ詳細に説明する。以下では、タッチスクリーンディスプレイを備える装置の一例として、スマートフォンについて説明する。
【００１８】
（実施形態）
図１から図３を参照しながら、実施形態に係るスマートフォン１の外観について説明する。図１から図３に示すように、スマートフォン１は、ハウジング２０を有する。ハウジング２０は、フロントフェイス１Ａと、バックフェイス１Ｂと、サイドフェイス１Ｃ１〜１Ｃ４とを有する。フロントフェイス１Ａは、ハウジング２０の正面である。バックフェイス１Ｂは、ハウジング２０の背面である。サイドフェイス１Ｃ１〜１Ｃ４は、フロントフェイス１Ａとバックフェイス１Ｂとを接続する側面である。以下では、サイドフェイス１Ｃ１〜１Ｃ４を、どの面であるかを特定することなく、サイドフェイス１Ｃと総称することがある。
【００１９】
スマートフォン１は、タッチスクリーンディスプレイ２と、ボタン３Ａ〜３Ｃと、照度センサ４と、近接センサ５と、レシーバ７と、マイク８と、カメラ１２とをフロントフェイス１Ａに有する。スマートフォン１は、カメラ１３をバックフェイス１Ｂに有する。スマートフォン１は、ボタン３Ｄ〜３Ｆと、外部インターフェイス１４とをサイドフェイス１Ｃに有する。以下では、ボタン３Ａ〜３Ｆを、どのボタンであるかを特定することなく、ボタン３と総称することがある。
【００２０】
タッチスクリーンディスプレイ２は、ディスプレイ２Ａと、タッチスクリーン２Ｂとを有する。ディスプレイ２Ａは、液晶ディスプレイ（Ｌｉｑｕｉｄ  Ｃｒｙｓｔａｌ  Ｄｉｓｐｌａｙ）、有機ＥＬパネル（Ｏｒｇａｎｉｃ  Ｅｌｅｃｔｒｏ−Ｌｕｍｉｎｅｓｃｅｎｃｅ  ｐａｎｅｌ）、又は無機ＥＬパネル（Ｉｎｏｒｇａｎｉｃ  Ｅｌｅｃｔｒｏ−Ｌｕｍｉｎｅｓｃｅｎｃｅ  ｐａｎｅｌ）等の表示デバイスを備える。ディスプレイ２Ａは、文字、画像、記号又は図形等を表示する。
【００２１】
タッチスクリーン２Ｂは、タッチスクリーンディスプレイ２に対する指、又はスタイラスペン等の接触を検出する。タッチスクリーン２Ｂは、複数の指、又はスタイラスペン等がタッチスクリーンディスプレイ２に接触した位置を検出することができる。
【００２２】
タッチスクリーン２Ｂの検出方式は、静電容量方式、抵抗膜方式、表面弾性波方式（又は超音波方式）、赤外線方式、電磁誘導方式、及び荷重検出方式等の任意の方式でよい。以下では、説明を簡単にするため、タッチスクリーン２Ｂがタッチスクリーンディスプレイ２に対する接触を検出する指、又はスタイラスペン等を単に「指」ということがある。
【００２３】
スマートフォン１は、タッチスクリーン２Ｂにより検出された接触、接触位置、接触時間又は接触回数に基づいてジェスチャの種別を判別する。ジェスチャは、タッチスクリーンディスプレイ２に対して行われる操作である。スマートフォン１によって判別されるジェスチャには、タッチ、ロングタッチ、リリース、スワイプ、タップ、ダブルタップ、ロングタップ、ドラッグ、フリック、ピンチイン、ピンチアウト等が含まれる。
【００２４】
タッチは、一の接触によるジェスチャである。すなわち、タッチは、タッチスクリーンディスプレイ２（例えば、表面）に指が接触するジェスチャである。スマートフォン１は、タッチスクリーンディスプレイ２に指が接触するジェスチャをタッチとして判別する。ロングタッチとは、タッチスクリーンディスプレイ２に指が一定時間以上接触するジェスチャである。スマートフォン１は、タッチスクリーンディスプレイ２に指が一定時間以上接触するジェスチャをロングタッチとして判別する。
【００２５】
リリースは、指がタッチスクリーンディスプレイ２から離れるジェスチャである。スマートフォン１は、指がタッチスクリーンディスプレイ２から離れるジェスチャをリリースとして判別する。スワイプは、指がタッチスクリーンディスプレイ２上に接触したままで移動するジェスチャである。スマートフォン１は、指がタッチスクリーンディスプレイ２上に接触したままで移動するジェスチャをスワイプとして判別する。
【００２６】
タップは、タッチに続いてリリースをするジェスチャである。スマートフォン１は、タッチに続いてリリースをするジェスチャをタップとして判別する。ダブルタップは、タッチに続いてリリースをするジェスチャが２回連続するジェスチャである。スマートフォン１は、タッチに続いてリリースをするジェスチャが２回連続するジェスチャをダブルタップとして判別する。
【００２７】
ロングタップは、ロングタッチに続いてリリースをするジェスチャである。スマートフォン１は、ロングタッチに続いてリリースをするジェスチャをロングタップとして判別する。ドラッグは、移動可能なオブジェクトが表示されている領域を始点としてスワイプをするジェスチャである。スマートフォン１は、移動可能なオブジェクトが表示されている領域を始点としてスワイプをするジェスチャをドラッグとして判別する。
【００２８】
フリックは、タッチに続いて指が一方方向へ高速で移動しながらリリースするジェスチャである。スマートフォン１は、タッチに続いて指が一方方向へ高速で移動しながらリリースするジェスチャをフリックとして判別する。フリックは、指が画面の上方向へ移動する上フリック、指が画面の下方向へ移動する下フリック、指が画面の右方向へ移動する右フリック、指が画面の左方向へ移動する左フリック等を含む。
【００２９】
ピンチインは、複数の指が互いに近付く方向にスワイプするジェスチャである。スマートフォン１は、複数の指が互いに近付く方向にスワイプするジェスチャをピンチインとして判別する。ピンチアウトは、複数の指が互いに遠ざかる方向にスワイプするジェスチャである。スマートフォン１は、複数の指が互いに遠ざかる方向にスワイプするジェスチャをピンチアウトとして判別する。
【００３０】
スマートフォン１は、タッチスクリーン２Ｂを介して判別するこれらのジェスチャに従って動作を行う。したがって、利用者にとって直感的で使いやすい操作性が実現される。判別されるジェスチャに従ってスマートフォン１が行う動作は、タッチスクリーンディスプレイ２に表示されている画面に応じて異なる。
【００３１】
図４を参照しながら、ディスプレイ２Ａに表示される画面の例について説明する。図４は、ホーム画面の一例を示している。ホーム画面は、デスクトップ、又は待受画面と呼ばれることもある。ホーム画面は、ディスプレイ２Ａに表示される。ホーム画面は、スマートフォン１にインストールされているアプリケーションのうち、どのアプリケーションを実行するかを利用者に選択させる画面である。スマートフォン１は、ホーム画面で選択されたアプリケーションをフォアグランドで実行する。フォアグランドで実行されるアプリケーションの画面は、ディスプレイ２Ａに表示される。
【００３２】
スマートフォン１は、ホーム画面にアイコンを配置することができる。図４に示すホーム画面４０には、複数のアイコン５０が配置されている。それぞれのアイコン５０は、スマートフォン１にインストールされているアプリケーションと予め対応付けられている。スマートフォン１は、アイコン５０に対するジェスチャを検出すると、そのアイコン５０に対応付けられているアプリケーションを実行する。例えば、スマートフォン１は、メールアプリケーションに対応付けられたアイコン５０に対するタップを検出すると、メールアプリケーションを実行する。ここで、スマートフォン１は、例えば、タッチスクリーンディスプレイ２に対するアイコン５０の表示位置（領域）に対応する位置（領域）へのジェスチャを、アイコン５０に対応付けられたアプリケーションの実行命令であると解釈する。
【００３３】
アイコン５０は、画像と文字列を含む。アイコン５０は、画像に代えて、記号又は図形を含んでもよい。アイコン５０は、画像又は文字列のいずれか一方を含まなくてもよい。アイコン５０は、所定の規則に従って配置される。アイコン５０の背後には、壁紙４１が表示される。壁紙は、フォトスクリーン又はバックスクリーンと呼ばれることもある。スマートフォン１は、任意の画像を壁紙４１として用いることができる。画像は、例えば、利用者の設定に従って任意の画像が壁紙４１として決定される。
【００３４】
スマートフォン１は、ホーム画面の数を増減することができる。スマートフォン１は、例えば、ホーム画面の数を利用者による設定に従って決定する。スマートフォン１は、ホーム画面を表示する場合、ホーム画面の数が複数であっても、それらのうちから選択された１つをディスプレイ２Ａに表示する。
【００３５】
スマートフォン１は、ホーム画面上に、１つ又は複数のロケータを表示する。ロケータの数は、ホーム画面の数と一致する。ロケータは、現在表示されているホーム画面の位置を示す。現在表示されているホーム画面に対応するロケータは、他のロケータと異なる態様で表示される。
【００３６】
図４に示す例では、４つのロケータ５１が表示されている。これは、ホーム画面４０の数が４つであることを示す。また、図４に示す例では、左から２番目のシンボルが他のシンボルと異なる態様で表示されている。これは、左から２番目のホーム画面が現在表示されていることを示している。
【００３７】
スマートフォン１は、ホーム画面を表示中に特定のジェスチャを検出すると、ディスプレイ２Ａに表示するホーム画面を切り替える。例えば、スマートフォン１は、右フリックを検出すると、ディスプレイ２Ａに表示するホーム画面を１つ左のホーム画面に切り替える。また、スマートフォン１は、左フリックを検出すると、ディスプレイ２Ａに表示するホーム画面を１つ右のホーム画面に切り替える。
【００３８】
ディスプレイ２Ａの上端には、領域４２が設けられている。領域４２には、充電池の残量を示す残量マーク４３、及び通信用の電波の電界強度を示す電波レベルマーク４４が表示される。スマートフォン１は、領域４２に、現在時刻、天気の情報、実行中のアプリケーション、通信システムの種別、電話のステータス、装置のモード、装置に生じたイベント等を表示してもよい。このように、領域４２は、利用者に対して各種の通知を行うために用いられる。領域４２は、ホーム画面４０とは別の画面でも設けられることがある。領域４２が設けられる位置は、ディスプレイ２Ａの上端に限られない。
【００３９】
なお、図４に示したホーム画面４０は、一例であり、各種の要素の形態、各種の要素の配置、ホーム画面４０の数、及びホーム画面４０での各種の操作の仕方等は上記の説明の通りでなくてもよい。
【００４０】
図５は、スマートフォン１の構成を示すブロック図である。スマートフォン１は、タッチスクリーンディスプレイ２と、ボタン３と、照度センサ４と、近接センサ５と、通信ユニット６と、レシーバ７と、マイク８と、ストレージ９と、コントローラ１０と、カメラ１２及び１３と、外部インターフェイス１４と、加速度センサ１５と、方位センサ１６と、回転検出センサ１７とを有する。
【００４１】
タッチスクリーンディスプレイ２は、上述したように、ディスプレイ２Ａと、タッチスクリーン２Ｂとを有する。ディスプレイ２Ａは、文字、画像、記号、又は図形等を表示する。タッチスクリーン２Ｂは、ジェスチャを検出する。
【００４２】
ボタン３は、利用者によって操作される。ボタン３は、ボタン３Ａ〜ボタン３Ｆを有する。コントローラ１０はボタン３と協働することによってボタンに対する操作を検出する。ボタンに対する操作は、例えば、クリック、ダブルクリック、プッシュ、及びマルチプッシュである。
【００４３】
例えば、ボタン３Ａ〜３Ｃは、ホームボタン、バックボタン又はメニューボタンである。例えば、ボタン３Ｄは、スマートフォン１のパワーオン／オフボタンである。ボタン３Ｄは、スリープ／スリープ解除ボタンを兼ねてもよい。例えば、ボタン３Ｅ及び３Ｆは、音量ボタンである。
【００４４】
照度センサ４は、照度を検出する。例えば、照度とは、光の強さ、明るさ、輝度等である。照度センサ４は、例えば、ディスプレイ２Ａの輝度の調整に用いられる。
【００４５】
近接センサ５は、近隣の物体の存在を非接触で検出する。近接センサ５は、例えば、タッチスクリーンディスプレイ２が顔に近付けられたことを検出する。
【００４６】
通信ユニット６は、無線により通信する。通信ユニット６によって行われる通信方式は、無線通信規格である。例えば、無線通信規格として、２Ｇ、３Ｇ、４Ｇ等のセルラーフォンの通信規格がある。例えば、セルラーフォンの通信規格としては、ＬＴＥ（Ｌｏｎｇ  Ｔｅｒｍ  Ｅｖｏｌｕｔｉｏｎ）、Ｗ−ＣＤＭＡ、ＣＤＭＡ２０００、ＰＤＣ、ＧＳＭ、ＰＨＳ（Ｐｅｒｓｏｎａｌ  Ｈａｎｄｙ−ｐｈｏｎｅ  Ｓｙｓｔｅｍ）等がある。例えば、無線通信規格として、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、ＩＥＥＥ８０２．１１、Ｂｌｕｅｔｏｏｔｈ（登録商標）、ＩｒＤＡ、ＮＦＣ（Ｎｅａｒ  Ｆｉｅｌｄ  Ｃｏｍｍｕｎｉｃａｔｉｏｎ）等がある。通信ユニット６は、上述した通信規格の１つ又は複数をサポートしていてもよい。
【００４７】
レシーバ７は、コントローラ１０から送信される音声信号を音声として出力する。マイク８は、利用者等の音声を音声信号へ変換してコントローラ１０へ送信する。なお、スマートフォン１は、レシーバ７に加えて、スピーカをさらに有してもよい。スマートフォン１は、レシーバ７に代えて、スピーカをさらに有してもよい。
【００４８】
ストレージ９は、プログラム及びデータを記憶する。また、ストレージ９は、コントローラ１０の処理結果を一時的に記憶する作業領域としても利用される。ストレージ９は、半導体記憶デバイス、及び磁気記憶デバイス等の任意の記憶デバイスを含んでよい。また、ストレージ９は、複数の種類の記憶デバイスを含んでよい。また、ストレージ９は、メモリカード等の可搬の記憶媒体と、記憶媒体の読み取り装置との組み合わせを含んでよい。
【００４９】
ストレージ９に記憶されるプログラムには、フォアグランド又はバックグランドで実行されるアプリケーションと、アプリケーションの動作を支援する制御プログラムとが含まれる。アプリケーションは、例えば、ディスプレイ２Ａに所定の画面を表示させ、タッチスクリーン２Ｂによって検出されるジェスチャに応じた処理をコントローラ１０に実行させる。制御プログラムは、例えば、ＯＳである。アプリケーション及び制御プログラムは、通信ユニット６による無線通信又は記憶媒体を介してストレージ９にインストールされてもよい。
【００５０】
ストレージ９は、例えば、制御プログラム９Ａ、メールアプリケーション９Ｂ、ブラウザアプリケーション９Ｃ、設定データ９Ｚを記憶する。メールアプリケーション９Ｂは、電子メールの作成、送信、受信、及び表示等のための電子メール機能を提供する。ブラウザアプリケーション９Ｃは、ＷＥＢページを表示するためのＷＥＢブラウジング機能を提供する。テーブル９Ｄは、キーアサインテーブル等の各種テーブルが格納されている。配置パターンデータベース９Ｅは、ディスプレイ２Ａに表示されるアイコン等の配置パターンが格納されている。設定データ９Ｚは、スマートフォン１の動作に関する各種の設定機能を提供する。
【００５１】
制御プログラム９Ａは、スマートフォン１を稼働させるための各種制御に関する機能を提供する。制御プログラム９Ａは、例えば、通信ユニット６、レシーバ７、及びマイク８等を制御することによって、通話を実現させる。制御プログラム９Ａが提供する機能には、タッチスクリーン２Ｂを介して検出されたジェスチャに応じて、ディスプレイ２Ａに表示されている情報を変更する等の各種制御を行う機能が含まれる。なお、制御プログラム９Ａが提供する機能は、メールアプリケーション９Ｂ等の他のプログラムが提供する機能と組み合わせて利用されることがある。
【００５２】
コントローラ１０は、例えば、ＣＰＵ（Ｃｅｎｔｒａｌ  Ｐｒｏｃｅｓｓｉｎｇ  Ｕｎｉｔ）である。コントローラ１０は、通信ユニット６等の他の構成要素が統合されたＳｏＣ（Ｓｙｓｔｅｍ−ｏｎ−ａ−ｃｈｉｐ）等の集積回路であってもよい。コントローラ１０は、スマートフォン１の動作を統括的に制御して各種の機能を実現する。
【００５３】
具体的には、コントローラ１０は、ストレージ９に記憶されているデータを必要に応じて参照しつつ、ストレージ９に記憶されているプログラムに含まれる命令を実行して、ディスプレイ２Ａ及び通信ユニット６等を制御することによって各種機能を実現する。コントローラ１０は、タッチスクリーン２Ｂ、ボタン３、加速度センサ１５等の各種検出部の検出結果に応じて、制御を変更することもある。
【００５４】
コントローラ１０は、例えば、制御プログラム９Ａを実行することにより、タッチスクリーン２Ｂを介して検出されたジェスチャに応じて、ディスプレイ２Ａに表示されている情報を変更する等の各種制御を実行する。
【００５５】
カメラ１２は、フロントフェイス１Ａに面している物体を撮影するインカメラである。カメラ１３は、バックフェイス１Ｂに面している物体を撮影するアウトカメラである。
【００５６】
外部インターフェイス１４は、他の装置が接続される端子である。外部インターフェイス１４は、ＵＳＢ（Ｕｎｉｖｅｒｓａｌ  Ｓｅｒｉａｌ  Ｂｕｓ）、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）、ライトピーク（サンダーボルト）、イヤホンマイクコネクタのような汎用的な端子であってもよい。外部インターフェイス１４は、Ｄｏｃｋコネクタのような専用に設計された端子でもよい。外部インターフェイス１４に接続される装置には、例えば、外部ストレージ、スピーカ、通信装置が含まれる。
【００５７】
加速度センサ１５は、スマートフォン１に働く加速度の方向及び大きさを検出する。方位センサ１６は、地磁気の向きを検出する。回転検出センサ１７は、スマートフォン１の回転を検出する。加速度センサ１５、方位センサ１６及び回転検出センサ１７の検出結果は、スマートフォン１の位置及び姿勢の変化を検出するために、組み合わせて利用される。
【００５８】
このように構成されるスマートフォン１は、タッチスクリーンディスプレイ２に表示された画像を簡易的な操作で拡大又は縮小させることで操作性を向上することができる。なお、タッチスクリーンディスプレイ２に表示された画像とは、タッチスクリーンディスプレイ２の表示領域全体に表示されている画像である。以下、タッチスクリーンディスプレイ２に表示された画像を表示画像ともいう。以下に、具体的な構成について説明する。
【００５９】
図６（ａ）は、表示画像６０を示す図である。上述したように、表示画像６０は、タッチスクリーンディスプレイ２の表示領域全体に表示されている画像である。
【００６０】
コントローラ１０は、タッチスクリーンディスプレイ２にタッチするジェスチャを検出すると、タッチスクリーンディスプレイ２に所定形状のガイドＧを表示する。また、コントローラ１０は、タッチスクリーンディスプレイ２にガイドＧを表示させる場合、タッチされている位置にガイドＧの縁が位置するようにガイドＧを表示させる。
【００６１】
具体的には、コントローラ１０は、図６（ａ）に示す状態において、タッチスクリーンディスプレイ２にタッチするジェスチャを検出すると、図６（ｂ）に示すように、タッチスクリーンディスプレイ２に所定形状のガイドＧを表示する。指が触れている位置には、ガイドＧの縁が位置している。
なお、所定形状のガイドＧは、例えば、円又は四角形等の図形を形成する線によって構成されるものである。また、ガイドＧを形成する線によって領域が形成される。本実施例では、図６に示すように、ガイドＧが中抜きの円であるものとして説明を進める。
【００６２】
コントローラ１０は、タッチが、ガイドＧの縁に位置している状態において、スワイプするジェスチャを検出すると、ガイドＧ及び表示画像を拡大又は縮小させる。ここで、コントローラ１０は、拡大又は縮小された後のガイドＧの縁の一部が、スワイプによって移動した指の接触位置に表示されるようにガイドＧを拡大又は縮小させる。
【００６３】
具体的には、コントローラ１０は、ガイドＧを形成する線によって形成される円の外側方向に向かってスワイプするジェスチャを検出した場合、図６（ｃ）に示すように、ガイドＧ及び表示画像６０を拡大させる。図６（ｃ）に示すように、拡大されたガイドＧの縁の一部は、スワイプによって移動した指の接触位置に表示されている。
【００６４】
コントローラ１０は、ガイドＧを形成する線によって形成される円の内側方向に向かってスワイプするジェスチャを検出した場合、図６（ｄ）に示すように、ガイドＧ及び表示画像６０を縮小させる。図６（ｄ）に示すように、拡大されたガイドＧの縁の一部は、スワイプによって移動した指の接触位置に表示されている。
【００６５】
コントローラ１０は、スワイプするジェスチャを検出した後、リリースするジェスチャを検出した場合、ガイドＧを非表示とする。コントローラ１０は、ガイドＧを非表示とした後に、表示画像６０が拡大又は縮小された状態を維持する。なお、コントローラ１０は、ガイドＧを非表示とした後に、拡大又は縮小された表示画像６０を、タッチスクリーンディスプレイ２に対するタッチが検出される前の状態（図６（ａ）に示す状態）、又はスワイプするジェスチャが検出される前の状態（図６（ｂ）に示す状態）に戻してもよい。
【００６６】
本実施例では、タッチスクリーンディスプレイ２にタッチするジェスチャを検出したことに応じて、タッチスクリーンディスプレイ２に、所定形状のガイドＧを表示する構成としたが、これに限られず、ロングタッチ又はダブルタップ等、一の接触によるジェスチャが複数組み合わされたジェスチャであってもよい。
【００６７】
したがって、スマートフォン１は、一の接触によってガイドＧを表示させることができる。また、スマートフォン１は、ガイドＧの縁にタッチが接触している状態においてスワイプするジェスチャを検出したことに応じて、ガイドＧ及び表示画像を拡大又は縮小させる。よって、スマートフォン１は、一本の指によって表示画像を拡大又は縮小させることができる。
【００６８】
なお、本実施形態では、ガイドＧに対するスワイプが検出されると表示画像６０とガイドＧを拡大又は縮小させることとしたが、これに限らない。例えば、ガイドに対するスワイプが検出されると表示画像６０のみを拡大又は縮小させて、ガイドＧを拡大又は縮小しないようにしてもよい。
【００６９】
また、上述では、スマートフォン１の構成と動作について説明したが、これに限られず、各構成要素を備え、操作性を向上させるための方法や、プログラムとして構成されてもよい。
【００７０】
コントローラ１０は、タッチされた状態からスワイプするジェスチャを検出した場合に、タッチスクリーンディスプレイ２において接触が検出される位置とガイドＧの中心位置との距離に対応させて、ガイドＧ及び表示画像を拡大又は縮小させる。具体的には、接触位置とガイドＧの中心位置との距離と、ガイドＧ及び表示画像の拡大率との対応表をストレージ９に記憶させておき、コントローラ１０は、図６（ｂ）から図６（ｃ）又は図６（ｄ）に変化するように、当該対応表に基づいて、ガイドＧ及び表示画像を拡大又は縮小させる。
したがって、スマートフォン１は、ガイドＧの中心位置からの距離に対応させて表示画像の拡大又は縮小を行うので、ガイドＧを拡大及び縮小の指標とすることができる。
【００７１】
コントローラ１０は、ガイドＧの中心位置を基点とし、基点を中心としてガイドＧを拡大又は縮小させるとともに、基点を中心として表示画像を拡大又は縮小させる。
したがって、スマートフォン１は、ガイドＧの中心位置を基点としてガイドＧ及び表示画像を拡大又は縮小させるので、ユーザに対して、直感的に拡大又は縮小を行わせることができる。
【００７２】
コントローラ１０は、表示画像に文字が含まれ、かつ、画像を表示させているアプリケーションが所定のアプリケーションの場合、文字ポイントの変更を行うことにより、表示画像を拡大又は縮小させる。
【００７３】
具体的には、ストレージ９に、文字ポイントの拡大又は縮小が可能なアプリケーションのリストを記憶させておく。また、ストレージ９に、接触位置とガイドＧの中心位置との距離と、文字ポイントの変更量との対応表をストレージ９に記憶させておく。コントローラ１０は、ストレージに記憶されたアプリケーションのリストに基づいて、画像を表示させているアプリケーションが所定のアプリケーションであるか否かを判定する。そして、コントローラ１０は、所定のアプリケーションであると判定した場合において表示画像に文字が含まれているとき、ガイドＧの縁に位置している指がスワイプするジェスチャを検出したことに応じて、当該対応表に基づいて文字ポイントの変更を行う。これにより、文字が含まれている表示画像の拡大又は縮小が行われる。
【００７４】
したがって、スマートフォン１は、表示画像に文字が含まれている場合に文字ポイントの変更を行うので、例えば文字フォントがベクトルフォントである場合、拡大率が高い場合であっても、文字を構成する線を滑らかに表示することができる。
【００７５】
コントローラ１０は、タッチスクリーンディスプレイ２に対してタッチするジェスチャを検出すると、タッチされた位置に対して所定の方向にガイドＧを表示させる。
具体的には、ストレージ９に、ユーザに利き手と、ガイドＧを表示させる方向との対応関係を記憶させておく。
【００７６】
例えば、ストレージ９は、右利きのユーザと、「左」とを対応付けて記憶する。右利きのユーザは、右手の親指で操作する可能性が高い。また、右手の親指がタッチスクリーンディスプレイに接触した場合、ガイドＧを「左」に表示させたほうがガイドを視認しやすくなるため、右利きのユーザにとって操作しやすくなる。
【００７７】
他方、ストレージ９は、左利きのユーザと、「右」とを対応付けて記憶する。左利きのユーザは、左手の親指で操作する可能性が高い。また、左手の親指がタッチスクリーンディスプレイに接触した場合、ガイドＧを「右」に表示させたほうがガイドを視認しやすくなるため、左利きのユーザにとって操作しやすくなる。
【００７８】
また、スマートフォン１は、右利きであるか左利きのユーザであるかの選択を受け付けて、ユーザのプロフィール情報として、ストレージ９に記憶する。
コントローラ１０は、タッチスクリーンディスプレイ２にタッチするジェスチャを検出した場合に、ユーザの利き手に応じて、ガイドＧを表示する方向を決定する。そして、コントローラ１０は、決定された方向に対してガイドＧを表示させる。
【００７９】
例えば、コントローラ１０は、スマートフォン１のユーザが右利きのユーザである場合においてタッチスクリーンディスプレイ２にタッチするジェスチャを検出すると、ガイドＧの右側の縁がタッチされた指に位置するようにガイドＧを表示させる。また、コントローラ１０は、スマートフォン１のユーザが左利きのユーザである場合においてタッチスクリーンディスプレイ２にタッチするジェスチャを検出すると、ガイドＧの左側の縁がタッチされた指に位置するようにガイドＧを表示させる。
【００８０】
したがって、スマートフォン１は、ユーザが操作しやすい位置にガイドＧを表示させて、拡大又は縮小を受け付けることができる。
【００８１】
コントローラ１０は、ガイドＧを拡大又は縮小させる場合に、ガイドＧの拡大率に応じてガイドＧの色を変化させる構成でもよい。
例えば、コントローラ１０は、ガイドＧが拡大又は縮小されていない場合に、黒色の線で形成されたガイドを表示する。また、コントローラ１０は、ガイドＧが拡大されている場合に赤色の線で形成されたガイドを表示する。また、コントローラ１０は、ガイドＧが縮小されている場合に青色の線で形成されたガイドを表示する。この場合、コントローラ１０は、拡大率に応じて、ガイドＧの色を段階的に変化させるようにしてもよい。
したがって、スマートフォン１は、ガイドＧの拡大率に応じてガイドＧの色を変化させるので、ユーザが、拡大又は縮小に応じたガイドの色を憶えることによって、ユーザに対して、表示画像が拡大又は縮小されているかについて、ガイドＧの色に基づいて認識させることができる。
【００８２】
つぎに、スマートフォン１による、タッチスクリーンディスプレイ２に表示された画像の拡大又は縮小を行う処理の流れについて、図７に示すフローチャートを参照しながら説明する。
【００８３】
ステップＳＴ１において、コントローラ１０は、タッチスクリーンディスプレイ２にタッチするジェスチャを検出したことに応じて、タッチスクリーンディスプレイ２にガイドＧを表示する。
【００８４】
ステップＳＴ２において、コントローラ１０は、タッチスクリーンディスプレイ２にスワイプするジェスチャを検出したか否かを判定する。コントローラ１０は、この判定がＹＥＳの場合、ステップＳＴ３に処理を移し、この判定がＮＯの場合、ステップＳＴ７に処理を移す。
【００８５】
ステップＳＴ３において、コントローラ１０は、タッチされている指がステップＳＴ１において表示されたガイドＧの縁に位置しているか否かを判定する。コントローラ１０は、この判定がＹＥＳの場合、ステップＳＴ４に処理を移し、この判定がＮＯの場合、ステップＳＴ７に処理を移す。
【００８６】
ステップＳＴ４において、コントローラ１０は、タッチされている指が、ガイドＧを形成する線によって形成された領域に向かってスワイプしたか否かを判定する。コントローラ１０は、この判定がＹＥＳの場合、ステップＳＴ５に処理を移し、この判定がＮＯの場合、ステップＳＴ６に処理を移す。
【００８７】
ステップＳＴ５において、コントローラ１０は、ガイドＧ及び表示画像を縮小させる。
ステップＳＴ６において、コントローラ１０は、ガイドＧ及び表示画像を拡大させる。
【００８８】
ステップＳＴ７において、コントローラ１０は、タッチスクリーンディスプレイ２から指がリリースするジェスチャを検出したか否かを判定する。コントローラ１０は、この判定がＹＥＳの場合、ステップＳＴ８に処理を移し、この判定がＮＯの場合、ステップＳＴ２に処理を移す。
【００８９】
ステップＳＴ８において、コントローラ１０は、タッチスクリーンディスプレイ２に表示されているガイドＧを非表示にして、本フローチャートの処理を終了する。
【００９０】
したがって、スマートフォン１は、一の接触によってガイドＧを表示させる。そして、スマートフォン１は、ガイドＧの縁に指が接触している状態でガイドＧに対してスワイプするジェスチャを検出したことに応じて、ガイドＧ及び表示画像を拡大又は縮小させる。よって、スマートフォン１は、一本の指によって表示画像を拡大又は縮小させることができるので、操作性を向上することができる。
【００９１】
なお、図５においてストレージ９が記憶することとしたプログラムの一部又は全部は、通信ユニット６による無線通信で他の装置からダウンロードされてもよい。また、図５においてストレージ９が記憶することとしたプログラムの一部又は全部は、ストレージ９に含まれる読み取り装置が読み取り可能な記憶媒体に記憶されていてもよい。また、図５においてストレージ９が記憶することとしたプログラムの一部又は全部は、外部インターフェイス１４に接続される読み取り装置が読み取り可能なＣＤ、ＤＶＤ、又はＢｌｕ−ｒａｙ等の記憶媒体に記憶されていてもよい。
【００９２】
また、図５に示したスマートフォン１の構成は一例であり、本発明の要旨を損なわない範囲において適宜変更してよい。例えば、ボタン３の数と種類は図５の例に限定されない。例えば、スマートフォン１は、画面に関する操作のためのボタンとして、ボタン３Ａ〜３Ｃに代えて、テンキー配列又はＱＷＥＲＴＹ配列等のボタンを備えていてもよい。また、スマートフォン１は、画面に関する操作のために、ボタンを１つだけ備えてよいし、ボタンを備えなくてもよい。また、図５に示した例では、スマートフォン１が２つのカメラを備えることとしたが、スマートフォン１は、１つのカメラのみを備えてもよいし、カメラを備えなくてもよい。また、図５に示した例では、スマートフォン１が位置及び姿勢を検出するために３種類のセンサを備えることとしたが、スマートフォン１は、このうちいくつかのセンサを備えなくてもよいし、位置及び姿勢を検出するための他の種類のセンサを備えてもよい。また、照度センサ４と近接センサ５は、別体ではなく、単一のセンサにより構成されてもよい。
【００９３】
上記実施形態では、ガイドＧの形状として中抜きの円である場合について説明したが、これに限らず、半透明の円等、様々な形状をガイドＧの形状としてもよい。
コントローラ１０は、ガイドＧが半透明の円である場合、円の内部（円の縁に比べて内部）に対してスワイプするジェスチャを検出することによってガイドＧを拡大又は縮小するようにしてもよい。
【００９４】
本発明を完全かつ明瞭に開示するために特徴的な実施例に関し記載してきた。しかし、添付の請求項に係る発明は、上記実施例に限定されるべきものでなく、本明細書に示した基礎的事項の範囲内で当該技術分野の当業者が創作しうるすべての変形例及び代替可能な構成を具現化するように構成されるべきである。
【００９５】
例えば、図５に示した各プログラムは、複数のモジュールに分割されていてもよいし、他のプログラムと結合されていてもよい。
【００９６】
また、上記の実施形態では、タッチスクリーンディスプレイを備える装置の一例として、スマートフォンについて説明したが、添付の請求項に係る装置は、スマートフォンに限定されない。例えば、添付の請求項に係る装置は、モバイルフォン、携帯型パソコン、デジタルカメラ、メディアプレイヤ、電子書籍リーダ、ナビゲータ、又はゲーム機等の携帯電子機器であってもよい。また、添付の請求項に係る装置は、デスクトップパソコン、テレビ受像器等の据え置き型の電子機器であってもよい。
【００９７】
上記実施形態では、コントローラ１０は、タッチスクリーンディスプレイ２に対するタッチを検出するとガイドＧを表示させたが、これに限らない。例えば、コントローラ１０は、タッチスクリーンディスプレイに対するタッチが所定時間行われるとガイドを表示してもよい。
この場合において、タッチスクリーンディスプレイ２に対して表示画像が一部のみ表示されているとき、コントローラ１０は、ガイドＧが表示されてから所定時間が経過していない場合に、フリックするジェスチャを検出したことに応じて、タッチスクリーンディスプレイ２において画面スクロールを行ってもよい。
【符号の説明】
【００９８】
１    スマートフォン
２    タッチスクリーンディスプレイ
２Ａ  ディスプレイ
２Ｂ  タッチスクリーン
３    ボタン
４    照度センサ
５    近接センサ
６    通信ユニット
７    レシーバ
８    マイク
９    ストレージ
９Ａ  制御プログラム
９Ｂ  メールアプリケーション
９Ｃ  ブラウザアプリケーション
９Ｄ  テーブル
９Ｅ  配置パターンデータベース
９Ｚ  設定データ
１０    コントローラ
１２、１３  カメラ
１４    外部インターフェイス
１５    加速度センサ
１６    方位センサ
１７    回転検出センサ
２０    ハウジング
【図１】
2013092974.tif 000003
【図２】
2013092974.tif 000004
【図３】
2013092974.tif 000005
【図４】
2013092974.tif 000006
【図５】
2013092974.tif 000007
【図６】
2013092974.tif 000008
【図７】
2013092974.tif 000009